(57)【要約】【課題】箱形罠を構成する本体の奥行き方向の長さを短くし、本体の入口から本体内部に仕掛けられた餌までの距離を短く設定できるようにすることにより、捕獲動物の警戒心をやわらげて捕獲率を向上させた箱形罠を提供する。【解決手段】箱形罠(A1)は、本体(B1)と、本体(B1)の入口(100)に設けられているガイド部材(5)と、ガイド部材(5)に昇降自在に取り付けられている落下式扉(6)と、落下式扉(6)をガイド部材(5)の所要の高さに止め、本体(B1)に捕獲動物が入ったことを感知して落とすトリガー装置(9)とを備えている。落下式扉(6)は、外側へ張り出して形成された外面部材の内部側に、落下式扉(6)が落ちたときに形成される捕獲動物を囲い込むための捕獲空間の一部を構成する拡張空間部(69)を備えている。【選択図】図５
2011024446.tif 000002
【特許請求の範囲】
【請求項１】
本体と落下式扉(6)、滑走式扉または枢着された閉鎖扉を有し、前記扉(6)の内面と本体(B1)の奥壁内面との間に捕獲動物の捕獲空間として所要距離を有する箱形罠において、
前記扉(6)を外方に向けて張り出して前記扉(6)の本体(B1)側に捕獲動物の捕獲空間の一部を形成する一方で、本体(B1)の入口(100)から奥壁内面までの距離を短くし、扉(6)の内面と本体(B1)の奥壁内面との間の捕獲空間として前記所要距離を保持するようにした、
箱形罠。
【請求項２】
本体(B1)と、本体(B1)の両入口(100,100a)側に落下式扉(6,6a)、滑走式扉または枢着された閉鎖扉を有し、前記両側の扉(6,6a)の内面間に捕獲動物の捕獲空間として所要距離を有する箱形罠において、
前記両側の扉(6,6a)をそれぞれ外方に向けて張り出して前記両側の扉(6,6a)の本体(B1)側に捕獲動物の捕獲空間の一部を形成する一方で、本体(B1)の両入口(100,100a)間の距離を短くし、両側の扉(6,6a)の内面間の捕獲空間として前記所要距離を保持するようにした、
箱形罠。
【請求項３】
本体(B1)は複数の壁部構成部材(1,2,3,4)で形成され、扉(6)を所要の高さ位置に止めると共に本体(B1)に捕獲動物が入ったことを感知して扉(6)を閉じる方向へ動かすよう作動するトリガー装置(9)を備えている、
請求項１または２の何れか１項に記載の箱形罠。
【請求項４】
本体(B1)の入口(100)の外側かつ入口(100)を閉じた位置にある扉(6)の下方に、箱形罠で捕獲された捕獲動物が地面に穴を掘ることを阻止する掘り防止部材(14)を備えている、
請求項１、２または３の何れか１項に記載の箱形罠。
【請求項５】
扉(6)の上部に枠部材(63)が設けられており、枠部材(63)が本体(B1)の入口(100)上部側の縁部材(53)と同じ高さに位置したときに、枠部材(63)と縁部(53)の間に少なくとも作業者の手を挟まない幅の隙間が形成されるように配置されている、
請求項１、２、３または４の何れか１項に記載の箱形罠。
【請求項６】
扉(6)が入口(100)を閉じたときに、扉(6)の下方に少なくとも作業者の足を挟むことがない幅の隙間(143)を形成する隙間形成手段(14,142)が設けられている、
請求項１、２、３、４または５の何れか１項に記載の箱形罠。
【発明の詳細な説明】
【技術分野】
【０００１】
本発明は、箱形罠に関するものである。更に詳しくは、箱形罠を構成する本体の奥行き方向の長さを短くして罠が目立ちにくいようにすると共に、本体の入口から本体内部に仕掛けられる餌までの距離を短く設定できるようにすることにより、箱形罠の周辺に近付いて箱形罠の内部をうかがう捕獲動物（捕獲対象獣）の警戒心をやわらげることができる箱形罠に関する。
【背景技術】
【０００２】
比較的小さな捕獲動物（ウサギやタヌキ等）から大きな捕獲動物（クマやイノシシ等）までを捕獲する罠として、箱形罠（捕獲檻ともいう）が使用されている。このような箱形罠としては、例えば本願発明者がすでに提案している特許文献１の箱形罠がある。
【０００３】
特許文献１に記載された箱形罠は、両端側が開口した罠本体を備えている。罠本体は、底部材と、その両側に設けてある側部材及び上部を塞ぐ天部材を備えている。罠本体の両開口部には、縦方向にガイド部材が設けてあり、ガイド部材には落下式扉が取り付けてある。各落下式扉は、捕獲動物が罠本体内に入ったことを感知するトリガー装置によって落とされ、開口部を塞ぐようになっている。
【先行技術文献】
【特許文献】
【０００４】
【特許文献１】特開２００４−１２１０７７
【発明の概要】
【発明が解決しようとする課題】
【０００５】
箱形罠を使用した狩猟において、クマやイノシシ等の大型獣を捕獲できるようにするためには、箱形罠を大きく形成する必要がある。
前記特許文献１記載の箱形罠は、図５（ｂ）に示しているように、落下式扉６ｂを比較的薄く形成した構造であり、箱形罠Ａ０の大きさ（奥行き方向の長さ）は本体Ｂ０に依存することになる。つまり、箱形罠Ａ０を大きくするには、本体Ｂ０を大きく形成しなければならない。
【０００６】
このため、箱形罠Ａ０をセットした状態（落下式扉６ｂが上がっている状態）で、本体Ｂ０を木の枝や草等でカムフラージュ（偽装）しても相当に目立つため、捕獲動物８が強く警戒してしまう問題があった。
【０００７】
また、箱形罠においては、本体の入口から餌までの距離、すなわち、トリガー装置を作動させるセンサ部までの距離を短くすると、捕獲動物の警戒心がやわらぎ、餌に食い付きやすい利点はあるが、反面、捕獲動物の身体が本体内に全部入りきっていない状態でトリガー装置が作動し、落下式扉が落ちてしまう可能性がある。この場合、落下式扉が捕獲動物の背中や尻に当たって扉を閉じるタイミングを逸し、結果的に捕獲動物に逃げられてしまうことがあった。
【０００８】
すなわち、箱形罠Ａ０においては、本体Ｂ０に捕獲動物８の身体全体が入るように、入口１００ｂから餌８０までの距離を十分に長く設定する（図５（ｂ）に示す状態）のが望ましいが、捕獲動物８は警戒心が強く、奥まで入り込ませることは容易ではなかった。
【０００９】
（本発明の目的）
本発明は、箱形罠を構成する本体の奥行き方向の長さを短くして罠が目立ちにくいようにすると共に、本体の入口から本体内部に仕掛けられる餌までの距離をより短く設定できるようにすることにより、捕獲動物の警戒心をやわらげることができ、捕獲率を向上させることができる箱形罠を提供することを目的とする。
【課題を解決するための手段】
【００１０】
上記課題を解決するために本発明が講じた手段は次のとおりである。
本発明は
本体と落下式扉、滑走式扉または枢着された閉鎖扉を有し、前記扉の内面と本体の奥壁内面との間に捕獲動物の捕獲空間として所要距離を有する箱形罠において、
前記扉を外方に向けて張り出して前記扉の本体側に捕獲動物の捕獲空間の一部を形成する一方で、本体の入口から奥壁内面までの距離を短くし、扉の内面と本体の奥壁内面との間の捕獲空間として前記所要距離を保持するようにした、
箱形罠である。
【００１１】
本発明は、
本体と、本体の両入口側に落下式扉、滑走式扉または枢着された閉鎖扉を有し、前記両側の扉の内面間に捕獲動物の捕獲空間として所要距離を有する箱形罠において、
前記両側の扉をそれぞれ外方に向けて張り出して前記両側の扉の本体側に捕獲動物の捕獲空間の一部を形成する一方で、本体の両入口間の距離を短くし、両側の扉の内面間の捕獲空間として前記所要距離を保持するようにした、
箱形罠である。
【００１２】
本発明は、  
本体は複数の壁部構成部材で形成され、扉を所要の高さ位置に止めると共に本体に捕獲動物が入ったことを感知して扉を閉じる方向へ動かすよう作動するトリガー装置を備えている、
前記箱形罠である。
【００１３】
本発明は、
本体の入口の外側かつ入口を閉じた位置にある扉の下方に、箱形罠で捕獲された捕獲動物が地面に穴を掘ることを阻止する掘り防止部材を備えている、
前記箱形罠である。
【００１４】
本発明は、
扉の上部に枠部材が設けられており、枠部材が本体の入口上部側の縁部材と同じ高さに位置したときに、枠部材と縁部の間に少なくとも作業者の手を挟まない幅の隙間が形成されるように配置されている、
前記箱形罠である。
【００１５】
本発明は、
扉が入口を閉じたときに、扉の下方に少なくとも作業者の足を挟むことがない幅の隙間を形成する隙間形成手段が設けられている、
前記箱形罠である。
【００１６】
（作用）
本発明に係る箱形罠の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１７】
箱形罠(A1)の落下式扉(6)、滑走式扉または枢着された閉鎖扉（以下、これらをまとめて「落下式扉(6)等」という）は、落下式扉(6)等が落ちたときに形成される捕獲動物を捕獲する（囲い込む）ための捕獲空間の一部を構成する空間部(69)を有している。これにより、落下式扉(6)等が落ちたときに形成される捕獲動物を捕獲する捕獲空間の大きさを基準とすれば、空間部(69)が設けられている分だけ、従来の箱形罠よりも本体(B1)の奥行き方向の長さを短くして、本体(B1)をコンパクトにつくることができる。これにより、箱形罠(A1)を仕掛けたときに、設置している本体(B1)が目立ちにくくなる。
【００１８】
また、箱形罠(A1)は、捕獲動物を捕獲する捕獲空間の大きさが同じでも、本体(B1)の奥行き方向の長さがより短くなっているので、本体(B1)の入口(100)から本体(B1)内部に仕掛けられる餌(80)までの距離を短く設定することができる。
これらのことから、箱形罠(A1)の周辺に近付いて箱形罠(A1)の内部をうかがう捕獲動物の警戒心をやわらげることができる。
【００１９】
本体の入口(100)の外側かつ入口(100)を閉じた位置にある落下式扉(6)等の下方に、箱形罠(A1)で捕獲された捕獲動物が地面に穴を掘ることを阻止する掘り防止部材(14)を備えているものは、捕獲動物が穴を掘って落下式扉(6)等の下縁と穴の隙間から逃げ出すことを防止することができる。
【００２０】
落下式扉(6)等の上部に枠部材(63)が設けられており、枠部材(63)が本体(B1)の入口(100)上部側の縁部材(53)と同じ高さに位置したときに、枠部材(63)と縁部(53)の間に少なくとも作業者の手を挟まない幅の隙間が形成されるように配置されているものは、使用者（狩猟者）が仕掛け作業中に落下式扉(6)等を誤って落下させた場合に、手を挟んで怪我をする危険を緩和することができる。
【００２１】
落下式扉(6)等が入口(100)を閉じたときに、落下式扉(6)等の下方に少なくとも作業者の足を挟むことがない幅の隙間(143)を形成する隙間形成手段(14,142)が設けられているものは、使用者が仕掛け作業中に落下式扉(6)等を誤って落下させた場合に、落下式扉(6)等が足に接触することにより怪我をする危険を緩和することができる。
【発明の効果】
【００２２】
本発明は、落下式扉等に捕獲動物の捕獲空間の一部を形成する空間部を設けることにより、箱形罠を構成する本体の奥行き方向の長さをより短くして、地面に設置された本体が目立ちにくいようにすることができる。
また、本体の奥行き方向の長さが短くなることで、本体の入口から本体内部に仕掛けられる餌までの距離をより短く設定することができる。
したがって、本発明に係る箱形罠は、箱形罠の周辺に近付いて箱形罠の内部をうかがう捕獲動物の警戒心をやわらげることができ、捕獲率を向上させることができる。
【図面の簡単な説明】
【００２３】
【図１】本発明に係る箱形罠の第１実施の形態を示し、落下式扉を上昇させてトリガー装置で止めている状態の前方側斜視図。
【図２】図１の箱形罠の後方側斜視図。
【図３】図１の箱形罠の正面図。
【図４】箱形罠の落下式扉を落として閉じている状態の前方側斜視図。
【図５】箱形罠の特徴を示す対比説明図で、（ａ）は本発明に係る箱形罠の説明図、（ｂ）は従来の箱形罠の説明図。
【図６】本発明に係る箱形罠の第２実施の形態を示し、両側に配置した落下式扉を上昇させてトリガー装置で止めている状態の前方側斜視図。
【発明を実施するための形態】
【００２４】
本発明を図面に示した実施例に基づき詳細に説明する。
【実施例】
【００２５】
なお、以下の説明では、本発明の特徴を明確にして理解しやすいようにするため、公知技術であるトリガー装置９及び本体Ｂ１の底部材１、側部材２、２ａ、天部材３、背部材４の各部材の連結具７を使用した連結構造に関しては、各構成部を図示して簡単な説明をするに止め、構造の詳細については説明を省略する。
【実施例１】
【００２６】
図１ないし図５を参照して、箱形罠Ａの構造を説明する。本実施の形態では、落下式扉６を備えた構造で説明する。
箱形罠Ａ１は、本体Ｂ１と、本体Ｂ１の入口１００の縁部に取り付けられたガイド部材５、入口１００を開閉する落下式扉６及び落下式扉６をガイド部材５の所要の高さに止めると共に本体Ｂ１に捕獲動物が入ったことを感知して落下式扉６を落とすトリガー装置９で構成されている。
【００２７】
本体Ｂ１は、壁部構成部材である底部材１、底部材１の両端辺部側に垂直に取り付けられた側部材２、２ａ、各側部材２、２ａの上部に取り付けられた天部材３及び入口１００と反対側に取り付けられた背部材４を備え、分解と組み立てができるようにしてある。
【００２８】
なお、落下式扉６を落とすトリガー装置９としては、前記特許文献１の特開２００４−１２１０７７に記載しているトリガー装置と同様のものを採用している。トリガー装置は、その構造を特に限定するものではなく、落下式扉６をガイド部材５の所要の高さに止め、本体Ｂ１に捕獲動物が入ったことを感知して落下式扉６を落として捕獲できるものであれば、公知の各種構造のものを採用することができる。
【００２９】
本体Ｂ１を構成する前記各部材１、２、３、４の構造を図面を参照して説明する。
底部材１は、山形鋼で長方形状に枠組みされた外枠１０を有している。外枠１０の内側には、長尺で互いに平行に配された所要数の鉄筋１１と、短尺で互いに平行に配された所要数の鉄筋１２を、縦横に交差させて交点を溶接すると共に各先端部を外枠１０に溶接して形成されている。
【００３０】
外枠１０の一方の面（外面側）には、角管状の挿入管１５（図３に図示）が全周に所要間隔で溶接されている。挿入管１５は、軸線方向を外枠１０の各部材の長手方向と平行にし、長辺側の部材と短辺側の部材それぞれに所要数設けられている。
また、底部材１の前後端部には、掘り防止部材１４が取り付けられている。掘り防止部材１４の構造及び取り付け構造については後述する。
【００３１】
側部材２、２ａは、山形鋼で長方形状に枠組みされた外枠２０を有している。外枠２０の内側には、長尺で互いに平行に配された所要数の柵板２１と、短尺で互いに平行に配された所要数の鉄筋２２を、縦横に交差させて交点を溶接すると共に各先端部を外枠２０に溶接して形成されている。外枠２０の一方の面（外面側）には、角管状の挿入管２５が前記外枠１０の挿入管１５と同様に設けられている。
【００３２】
天部材３は、山形鋼で長方形状に枠組みされた外枠３０を有している。外枠３０の内側には、長尺で互いに平行に配された所要数の柵板３１と、短尺で互いに平行に配された所要数の鉄筋３２を、縦横に交差させて交点を溶接すると共に各先端部を外枠３０に溶接して形成されている。外枠３０の一方の面（外面側）には、角管状の挿入管３５が前記外枠１０の挿入管１５と同様に設けられている。
【００３３】
背部材４は、山形鋼で長方形状に枠組みされた外枠４０を有している。外枠４０の内側には、互いに平行に配された所要数の柵板４１と、互いに平行に配された所要数の鉄筋４２を、縦横に交差させて交点を溶接すると共に各先端部を外枠４０に溶接して形成されている。外枠４０の一方の面（外面側）には、角管状の挿入管４５が前記外枠１０の挿入管１５と同様に設けられている。
【００３４】
前記したように正面側の入口１００に取り付けられたガイド部材５は、底枠５１、各側枠５２及び中間枠５３を有している。
底枠５１は不等辺山形鋼で形成され、組み立て時において幅狭部（図では見えない）が内方へ向け水平になり、幅広部が外側に位置し垂直になるようにしてある。底枠５１の幅狭部の底面側には、角管状の挿入管（図では見えない）が長手方向の所要箇所に溶接して前記外枠１０の挿入管１５と同様に設けられている。
【００３５】
底枠５１の両端部には側枠５２がそれぞれ垂直に設けられている。各側枠５２の上方への長さは、取り付けられる落下式扉６の高さの約１．５倍程度に設定されている。
各側枠５２は山形鋼で形成されており、角部を底枠５１の両端外側の角部に合わせてある。各側枠５２の外側の板５２０の内側には板５２０との間に所要幅のガイド溝５２２を設けて平行にガイド板５２１が溶接してある。このガイド溝５２２には、下側から順に掘り防止部材１４及び後述する落下式扉６の両側端部がスライド自在に差し込まれる。
【００３６】
掘り防止部材１４は、長方形状に枠組みされた基枠１４０を有し、基枠１４０の長尺部の間には長尺部と平行に邪魔部材１４１が固定されている。邪魔部材１４１は、基枠１４０の抜き部を塞ぎ、捕獲された捕獲動物が地面に穴を掘って、落下式扉６の下側の横枠部材６２ａ下縁部と穴の隙間から脱出することを阻止するためのものである。
【００３７】
また、基枠１４０の後部両側には、山形鋼で形成され、前記ガイド溝５２２に差し込まれるスライド部材１４２が立設固定されている。各スライド部材１４２は、後述するように落下式扉６を地面から浮かせた状態で支えるストッパーとなる。
なお、掘り防止部材１４は、落下式扉６と同様に、ガイド溝５２２に両スライド部材１４２をガイド溝５２２に差し込み、上方から落とし込んで設置される。
【００３８】
各側枠５２の基部側（組み立てたときに側部材２、２ａの外枠２０の短辺に対応する部分）の外面側には、長手方向に所要間隔で上記底枠５１の挿入管５５と同様の挿入管５５が溶接により固着されている。また、側枠５２間には中間枠５３がそれらをつなぐように直角に設けてある。中間枠５３は等辺山形鋼で形成され、その上面側には、上記底枠５１の挿入管５５と同様の挿入管５５が溶接により固着されている。
【００３９】
落下式扉６は、正面視で長方形状に枠組みされた基枠６０を有している。基枠６０は、それぞれ中抜きされた長方形の板体で形成され、相対向した左右二枚の縦枠部材６１と、等辺山形鋼で形成された上側の横枠部材６２及び帯板で形成された下側の横枠部材６２ａで構成されている。
【００４０】
各縦枠部材６１は、側部材２、２ａと平行に設けられ、前方側（図１で左方側）へ張り出す（突き出す）ように設けられている。横枠部材６２は各縦枠部材６１の上端に、横枠部材６２ａは各縦枠部材６１の下端に固着されている。また、横枠部材６２のやや後方には補強筋６３が平行に固定されている。なお、補強筋６３と前記中間枠５３は、同じ高さになったときに、間に適宜幅の隙間が形成されるようになっており、使用者が手等を挟むことがないようにしている。
【００４１】
基枠６０の内側には、四本の柵板６４が横枠部材６２、６２ａと平行に上下方向に等間隔になるよう溶接して固着されている。また、これら柵板６４と直交するように互いに平行に配された所要数の柵棒６５が交点を溶接すると共に各先端部を横枠部材６２、６２ａに溶接して固着されている。各柵板６４と各柵棒６５は、外面部材を構成している。
【００４２】
各柵板６４は、トリガー装置９の支持部材９０を係止する係止部となるものであり、係止する柵板６４を変えることにより罠セット時の落下式扉６の高さを段階的に調節することができる。
【００４３】
各縦枠部材６１の後端部には、細板状のスライド部材６６が縦枠部材６１の縁に沿って外側へ張り出すように固着されている。落下式扉６は、両側のスライド部材６６をガイド部材５の各側枠５２のガイド溝５２２に差し込んで、ガイド部材５に昇降自在に取り付けられている。
【００４４】
前記構造により、落下式扉６の各柵板６４と各柵棒６５の内部側には、下側が開放された縁部が平面視「コ」字状の拡張空間部６９が形成されている。拡張空間部６９は、落下式扉６が落ちたときに形成される捕獲動物を捕獲する捕獲空間の一部を構成し、入口１００の位置から外側へ空間を拡張するものである。
【００４５】
また、落下式扉６が下降して前記掘り防止部材１４の各スライド部材１４２の上部に当接することにより、掘り防止部材１４または地面と横枠部材６２ａの間に一定の隙間１４３が形成される（図４参照）。これにより、例えば使用者（狩猟者）が仕掛け作業中に落下式扉６を誤って落下させた場合に、落下式扉６が足に接触することにより怪我をする危険を緩和することができる。
【００４６】
なお、本体Ｂ１は、本願発明者が先に提案した特開２００６−２２３１６５と同様に、各部材１、２、３、４の各挿入管１５、２５、３５、４５に、各挿入管をつなぐように連結具７を装着して組み立てる構造である。
【００４７】
（作用）
箱形罠Ａ１の作用を図１ないし図５を参照して説明する。
まず、箱形罠Ａ１を現地で組み立て、適当な場所に据え付ける。
次に、トリガー装置９の各部を初期状態にし、その後で落下式扉６を上昇させ、トリガー装置９の支持部材９０を落下式扉６の下側の横枠部材６２ａまたは各柵板６４のいずれかに下側から係止することにより落下式扉６を適当な高さにセットする。最後に、センサ部９１の下方に餌８０を置き、箱形罠Ａ１を仕掛ける。
【００４８】
そして、図５（ａ）に示すように、イノシシ等の捕獲動物８が餌８０につられて入口１００から本体Ｂ１内部に入り、餌８０があるところまで入ったことをセンサ部９１が感知すると、支持部材９０のロックが外れ、落下式扉６が落下する。これにより捕獲動物８は捕獲される。
【００４９】
箱形罠Ａ１の作用及び特徴を、図５（ｂ）に示した従来の箱形罠Ａ０と対比して説明する。
箱形罠Ａ１の落下式扉６は、前記したように落下式扉６が落ちたときに形成される捕獲動物８を捕獲するための捕獲空間の一部を構成する拡張空間部６９を有している。拡張空間部６９は、入口１００の位置から外側へ空間を拡張するものである。
【００５０】
落下式扉６が落ちたときに形成される捕獲動物８を捕獲する捕獲空間の大きさ、すなわち箱形罠の奥行き方向の長さ（Ｌ０）が同じであれば、箱形罠Ａ１は、落下式扉６に拡張空間部６９が設けられている長さ（Ｌ３）の分だけ、従来の箱形罠Ａ０の本体Ｂ０の奥行き方向の長さ（Ｌ４）よりも本体Ｂ１の奥行き方向の長さ（Ｌ１）を短くしてコンパクトにつくることができる。
これにより、箱形罠Ａ１を仕掛けたときに、木の枝や草等でカムフラージュを施せば、奥行き方向の長さが短くなった分だけ本体Ｂ１が目立ちにくくなる。
【００５１】
また、箱形罠Ａ１は、前記したように、本体Ｂ１の奥行き方向の長さ（Ｌ１）はより短くなっており、本体Ｂ１内に入った捕獲動物８の尻部が、まだ入口１００から出た状態でも、落下式扉６が落ちたときに尻部に当たることなく捕獲動物８を囲い込んで捕獲することが可能である。
つまり、本体Ｂ１の入口である入口１００から、本体Ｂ１内部に仕掛けられた餌８０までの距離、すなわちセンサ部９１までの距離（Ｌ２）を、従来の箱形罠Ａ０の場合のセンサ部９１までの距離（Ｌ５）より短く設定することができる。
【００５２】
これらのことから、箱形罠Ａ１は、従来の箱形罠と比べて、仕掛けられた箱形罠Ａ１の周辺に近付いて箱形罠の内部をうかがう捕獲動物８の警戒心をやわらげることができるので、捕獲率が向上することが期待できる。
【実施例２】
【００５３】
図６を参照する。なお、図６において、前記箱形罠Ａ１と同一または同等箇所には同一の符号を付して示し、構造について重複する説明は省略する。
【００５４】
箱形罠Ａ２は、本体Ｂ２の長手方向両側に入口１００、１００ａを有し、各入口１００、１００ａの縁部にガイド部材５、５ａを設け、各ガイド部材５、５ａにそれぞれ落下式扉６、６ａを昇降自在に取り付けた構造である。
また、トリガー装置９ａは、センサ部９１が本体Ｂ２の長手方向において中央部に設けられており、落下式扉６、６ａに係止して支える支持部材９０、９０ａを備えている。落下式扉６、６ａは、トリガー装置９ａの作動により同時に落ちるようになっている。
【００５５】
箱形罠Ａ２は、入口が本体Ｂ２の前後二箇所にあるので、捕獲動物８がより入りやすい利点がある。
なお、本発明の主要な作用である本体Ｂ２の奥行き方向の長さを短くつくることができる点、及び入口１００、１００ａから餌８０を置く場所までの距離を短く設定できる点は、前記箱形罠Ａ１と同様であるので、これらについての詳しい説明は省略する。
【００５６】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【符号の説明】
【００５７】
Ａ１  箱形罠
Ｂ１  本体
１  底部材
１０  外枠
１１  鉄筋
１２  鉄筋
１４  掘り防止部材
１４０  基枠
１４１  邪魔部材
１４２  スライド部材
１４３  隙間
１５  挿入管
２、２ａ  側部材
２０  外枠
２１  柵板
２２  鉄筋
２５  挿入管
３  天部材
３０  外枠
３１  柵板
３２  鉄筋
３５  挿入管
４  背部材
４０  外枠
４１  柵板
４２  鉄筋
４５  挿入管
１００  入口
５  ガイド部材
５１  底枠
５２  側枠
５２０  外側の板
５２１  ガイド板
５２２  ガイド溝
５３  中間枠
５５  挿入管
６  落下式扉
６０  基枠
６１  縦枠部材
６２  横枠部材
６２ａ  横枠部材
６３  補強筋
６４  柵板
６５  柵棒
６６  スライド部材
６９  拡張空間部
７  連結具
９  トリガー装置
９０  支持部材
９１  センサ部
８  捕獲動物
８０  餌
Ａ２  箱形罠
Ｂ２  本体
１００ａ  入口
５ａ  ガイド部材
６ａ  落下式扉
９ａ  トリガー装置
９０ａ  支持部材
Ａ０  箱形罠
Ｂ０  本体
１００ｂ  入口
６ｂ  落下式扉
【図１】
2011024446.tif 000003
【図２】
2011024446.tif 000004
【図３】
2011024446.tif 000005
【図４】
2011024446.tif 000006
【図５】
2011024446.tif 000007
【図６】
2011024446.tif 000008